(57)【要約】【課題】容器の開口部を包装材で覆うようにして容器に包装材を簡単に取り付けることができる包装体を提供する。【解決手段】包装体１０は、箱形の容器１２を含む。容器１２には、開口部１６を覆うようにして、包装材１８が取り付けられる。包装材１８は、容器１２の開口部１６を覆うための略矩形の包装用シート２０を含む。包装用シート２０の一端側部分には、容器１２の一端側部分を入れるための袋状部２２が形成される。包装用シート２０の他端側部分の内面には、包装用シート２０の他端側部分を容器１２の外表面に接着するための接着剤層２８が形成される。【選択図】      図２
2005001721.tif 000002
【特許請求の範囲】
【請求項１】
収納部および前記収納部に通じる開口部を有する容器に取り付けられ、前記容器の前記開口部を覆う包装材であって、
前記容器の前記開口部を覆うための包装用シート、
前記包装用シートの一端側部分に形成され、前記容器の一部分を入れるための袋状部、および
前記包装用シートの他端側部分に形成され、前記包装用シートの前記他端側部分を前記容器の外表面に接着するための接着剤層を含む、包装材。
【請求項２】
前記袋状部に通気孔が形成された、請求項１に記載の包装材。
【請求項３】
収納部および前記収納部に通じる開口部を有する容器、および
前記容器に取り付けられ、前記容器の前記開口部を覆う請求項１または請求項２に記載の包装材を含む包装体であって、
前記包装材の前記袋状部に前記容器の一部分が入れられ、
前記包装材の前記包装用シートで前記容器の前記開口部が覆われ、
前記包装材の前記包装用シートの前記他端側部分が前記接着剤層で前記容器の外表面に接着される、包装体。
【発明の詳細な説明】
【０００１】
【発明の属する技術分野】
この発明は包装材および包装体に関し、特に、たとえば苺などの食品が入れられた容器の上部に形成された開口部を覆うようにしてその容器に取り付けられる包装材およびその包装材を用いた包装体に関する。
【０００２】
【従来の技術】
この発明の背景となる従来の包装用のシートの一例が、たとえば特開平１１−２９１１１号公報に開示されている（特許文献１参照）。
特開平１１−２９１１１号公報に開示されている包装用のシートは、矩形に形成され、その両側部分に接着剤がそれぞれ塗布される。そして、この包装用のシートは、中央部分でたとえば苺の入った容器の上部に形成された開口部を覆うようにして、両側部分が接着剤でその容器の両側の外側面にそれぞれ接着される。
【０００３】
【特許文献１】
特開平１１−２９１１１号公報
【０００４】
【発明が解決しようとする課題】
ところが、上述の従来の包装用のシートでは、手作業で容器の開口部を覆うようにして容器に取り付けようとすると、容器に対する位置決めが困難なため、大変手間がかかってしまう。
【０００５】
それゆえに、この発明の主たる目的は、容器の開口部を覆うようにして容器に簡単に取り付けることができる包装材を提供することである。
この発明の他の目的は、容器の開口部を包装材で覆うようにして容器に包装材を簡単に取り付けることができる包装体を提供することである。
【０００６】
【課題を解決するための手段】
この発明にかかる包装材は、収納部およびその収納部に通じる開口部を有する容器に取り付けられ、容器の開口部を覆う包装材であって、容器の開口部を覆うための包装用シートと、包装用シートの一端側部分に形成され、容器の一部分を入れるための袋状部と、包装用シートの他端側部分に形成され、包装用シートの他端側部分を容器の外表面に接着するための接着剤層とを含む、包装材である。
この発明にかかる包装材では、容器の開口部を覆うようにして容器に取り付けるためには、袋状部に容器の一部分が入れられ、包装用シートで容器の開口部が覆われ、包装用シートの他端側部分が接着剤層で容器の外表面に接着される。
そのため、この発明にかかる包装材では、容器に対する位置決めが容易となり、容器の開口部を覆うようにして容器に簡単に取り付けることができる。
【０００７】
この発明にかかる包装材には、袋状部に通気孔が形成されてもよい。このように袋状部に通気孔が形成されると、袋状部に容器の一部分を入れる際には、袋状部の内部の空気が通気孔を通って袋状部の外部に出やすくなるので、袋状部に容器の一部分が入れやすくなる。さらに、包装材が容器に取り付けられても、袋状部の内部と袋状部の外部とが通気孔によって通じるので、容器の収納部に入れられたたとえば苺などの食品が蒸れにくく腐りにくくなる。また、袋状部から容器を取り出す際には、袋状部の外部の空気が通気孔を通って袋状部の内部に入りやすくなるので、袋状部から容器が取り出しやすくなる。
【０００８】
この発明にかかる包装体は、収納部およびその収納部に通じる開口部を有する容器と、容器に取り付けられ、容器の開口部を覆うこの発明にかかる包装材とを含む包装体であって、包装材の袋状部に容器の一部分が入れられ、包装材の包装用シートで容器の開口部が覆われ、包装材の包装用シートの他端側部分が接着剤層で容器の外表面に接着される、包装体である。
この発明にかかる包装体では、容器に対する包装材の位置決めが容易となるので、容器の開口部を包装材で覆うようにして容器に包装材を簡単に取り付けることができる。
【０００９】
この発明の上述の目的、その他の目的、特徴および利点は、図面を参照して行う以下の発明の実施の形態の詳細な説明から一層明らかとなろう。
【００１０】
【発明の実施の形態】
図１はこの発明にかかる包装体の一例を示す斜視図であり、図２はその包装体の断面図であり、図３はその包装体に用いられる包装材を示す斜視図である。図１に示す包装体１０は、たとえばポリスチレンなどの合成樹脂からなる箱形の容器１２を含む。すなわち、容器１２は、中央に収納部１４を有し、容器１２の上部には、収納部１４に通じる開口部１６を有する。この容器１２は、たとえばポリスチレンなどの合成樹脂を成形することによって製造される。
【００１１】
容器１２には、開口部１６を覆うようにして、包装材１８が取り付けられる。包装材１８は、容器１２の開口部１６より大きいたとえば略長方形の包装用シート２０を含む。包装用シート２０は、容器１２の開口部１６を覆うためのものである。包装用シート２０は、たとえばポリプロピレン、ポリスチレン、エチレン酢酸ビニル共重合物、ポリエチレン、アイオノマーなどの熱溶融性樹脂からなるフィルムやこれらの熱溶融性樹脂が少なくとも一方の表面に形成されたフィルムなどで形成され、好ましくは、たとえば二軸延伸ポリプロピレン（ＯＰＰ）、無延伸ポリプロピレン（ＣＰＰ）、二軸延伸ポリスチレン（ＯＰＳ）などの熱溶融性の合成樹脂からなるフィルムの表面に界面活性剤が塗布された透明な防曇フィルムで形成される。防曇フィルムを用いて形成された包装用シート２０は、防曇性を有する。
【００１２】
包装用シート２０の一端側部分には、袋状部２２が形成される。袋状部２２は、容器１２の一部分たとえば一端側部分を入れるためのものである。袋状部２２は、たとえば包装用シート２０の長手方向における長さのほぼ半分の長さを有する略矩形の面部材２４を含む。面部材２４は、包装用シート２０の長手方向における一端側部分の端部からのびて包装用シート２０の材料と同じ材料で包装用シート２０と一体的に形成される。面部材２４は、全体が包装用シート２０の長手方向における一端側部分の内面に重なるように折り返され、開放されている対向する２辺がそれらの２辺に重なる包装用シート２０の２辺（長手方向に沿う２辺）にそれぞれ熱溶着される。それによって、包装用シート２０の一端側部分には、包装用シート２０の一端側部分と面部材２４とで袋状部２２が形成される。
【００１３】
袋状部２２の２つの隅部には、通気孔２６、２６がそれぞれ形成される。これらの通気孔２６、２６は、袋状部２２の内部と外部とを通じるようにするための孔である。
【００１４】
包装用シート２０の他端側部分の内面には、その端部に沿って、たとえば粘着剤からなる帯状の接着剤層２８が形成される。接着剤層２８は、包装用シート２０の他端側部分を容器１２の外表面に接着するためのものである。
【００１５】
接着剤層２８の表面には、特に図３に示すように、たとえばシリコーンがコートされたポリエチレンなどの帯状の剥離基材３０が仮着される。剥離基材３０は、接着剤層２８を保護するためのものであり、包装用シート２０の他端側部分を容器１２の外表面に接着する際に剥離されるものである。
【００１６】
ここで、包装材１８の製造方法の一例について説明する。
【００１７】
まず、図４に示すように、帯状のシート１７が準備される。シート１７は、たとえば二軸延伸ポリプロピレン（ＯＰＰ）、無延伸ポリプロピレン（ＣＰＰ）、二軸延伸ポリスチレン（ＯＰＳ）などの熱溶融性の合成樹脂からなるフィルムの表面に界面活性剤が塗布された透明な防曇フィルムで形成される。また、シート１７は、包装用シート２０の長さに面部材２４の長さを加えた長さに相当する幅を有する。なお、図４には、シート１７において包装用シート２０に相当する部分１９と面部材２４に相当する部分２３との境界線を１点鎖線で示す。
【００１８】
そして、このシート１７は、図５に示すように、面部材２４に相当する部分２３が、包装用シート２０に相当する部分１９の一端側部分の内面に重なるように折り返される。
【００１９】
また、シート１７には、図６に示すように、包装用シート２０に相当する部分１９の他端側部分の内面に、その端部に沿って、粘着剤を帯状に塗布することによって、接着剤層２８が形成される。
【００２０】
そして、接着剤層２８の表面には、図７に示すように、たとえばシリコーンがコートされたポリエチレンなどの帯状の剥離基材３０が仮着される。
【００２１】
それから、シート１７および剥離基材３０は、図８に示すように、個々の包装用シート２０および面部材２４などに接着剤層２８ごと熱溶断される。この場合、面部材２４の２辺は包装用シート２０の２辺に熱溶着され、それによって、袋状部２２が形成される。なお、この場合、剥離基材３０の長手方向における両端部も包装用シート２０に熱溶着されてしまうおそれがあるが、熱溶着される部分は、微小部分であるため、剥離基材３０を接着剤層２８から剥離する際に容易に外れる。剥離基材３０の長手方向における両端部がそのように熱溶着されてしまうおそれを防止するために、剥離基材３０の長手方向における両端部は、熱溶断する代わりにカッターで切断することによって形成されてもよい。たとえば、袋状部２２が形成される部位を除く部位の包装用シート２０、または、剥離基材３０が形成されている部位およびその近傍部位の包装用シート２０は、接着剤層２８および剥離基材３０ごとシート１７をカッターで切断することによって形成されてもよい。
【００２２】
そして、袋状部２２の２つの隅部には、図９に示すように、それらの部分を切断することによって、通気孔２６、２６がそれぞれ形成される。なお、これらの通気孔２６、２６は、袋状部２２を形成する際に、袋状部２２の２つの隅部となる部分をカッターで切断することによって形成されてもよい。
【００２３】
上述のようにして、包装体１０の包装材１８が製造される。
【００２４】
この包装体１０では、図１０および図１１に示すように、包装材１８の袋状部２２に容器１２の一端側部分が入れられる。この場合、容器１２の収納部１４には、たとえば苺などの食品（図示せず）が予め入れられている。
そして、包装材１８の包装用シート２０で容器１２の開口部１６が覆われる。
それから、剥離基材３０が、図１１に示すように、接着剤層２８から剥離され、包装用シート２０の他端側部分が、図１および図２に示すように、接着剤層２８で容器１２の底部の外表面に接着される。
【００２５】
この包装体１０では、容器１２に対する包装材１８の位置決めが容易となるので、容器１２の開口部１６を包装材１８で覆うようにして容器１２に包装材１８を簡単に取り付けることができる。
【００２６】
また、この包装体１０では、包装材１８の袋状部２２に通気孔２６、２６が形成されているので、袋状部２２に容器１２の一端側部分を入れる際には、袋状部２２の内部の空気が通気孔２６、２６を通って袋状部２２の外部に出やすいので、袋状部２２に容器１２の一端側部分が入れやすい。
【００２７】
さらに、この包装体１０では、包装材１８が容器１２に取り付けられても、袋状部２２の内部と袋状部２２の外部とが通気孔２６、２６によって通じるので、容器１２の収納部１４に入れられたたとえば苺などの食品が蒸れにくく腐りにくい。
【００２８】
また、この包装体１０では、袋状部２２から容器１２を取り出す際には、袋状部２２の外部の空気が通気孔２６、２６を通って袋状部２２の内部に入りやすいので、袋状部２２から容器１２が取り出しやすい。
【００２９】
さらに、この包装体１０では、包装用シート２０が、透明な防曇フィルムで形成されているので、容器１２の収納部１４に入れられているたとえば苺などの食品の水分で曇りにくく、容器１２の収納部１４に入れられている苺などの食品が包装用シート２０を通して見やすい。
【００３０】
なお、上述の包装体１０では容器１２が箱形に形成されているが、この発明では容器は浅い収納部を有する皿形に形成されてもよい。
【００３１】
また、上述の包装体１０では、包装材１８の包装用シート２０および面部材２４が一体的に形成され、包装用シート２０および面部材２４のそれぞれの２辺が熱溶着されているが、それらは別々に形成され、それぞれの３辺が熱溶着されてもよい。
【００３２】
さらに、上述の包装体１０では包装材１８の包装用シート２０が略長方形に形成され面部材２４と袋状部２２が略矩形に形成されているが、それらは他の形状に形成されてもよく、袋状部２２はたとえば先端が狭くなる台形状に形成されてもよい。
【００３３】
また、上述の包装体１０では包装材１８の包装用シート２０および面部材２４が熱溶融性の合成樹脂からなる透明な防曇フィルムで形成されているが、包装用シートおよび面部材は、内面となる層が熱溶融性の合成樹脂からなる層である２層フィルムで形成されてもよい。この場合、２層フィルムの外面となる層が機械的強度の大きい層で形成されてもよい。このようにすれば、包装用シートおよび面部材の強度が向上する。また、包装用シートおよび面部材は、３層以上からなる多層フィルムで形成されてもよい。
【００３４】
さらに、上述の包装体１０では、包装材１８の袋状部２２の２つの隅部に通気孔２６、２６が形成されているが、それらの通気孔２６、２６に代えてまたはそれらの通気孔２６、２６とともに、包装材１８の他の部分に通気孔が形成されてれもよい。この場合、通気孔はどのような形状に形成されてもよい。なお、この発明では、包装材に通気孔が形成されなくてもよい。
【００３５】
また、上述の包装体１０では、粘着剤を塗布することによって接着剤層２８が帯状に形成されているが、この発明では接着剤層は、剥離基材上に粘着剤が形成された接着テープを剥離基材ごとシート１７に貼付して形成されてもよい。さらに、接着剤層は、感熱接着性粘着剤で形成されてもよく、また、その形状も帯状に限らずたとえば多数の円形など他の形状に形成されてもよい。
【００３６】
さらに、上述の包装体１０では表示のための印刷層が形成されていないが、包装材１０の容器１２や包装材１８の表面には表示のための印刷層が形成されてもよい。
【００３７】
【発明の効果】
この発明によれば、たとえば苺などの食品を入れた容器の開口部を覆うようにして容器に簡単に取り付けることができる包装材が得られる。
また、この発明によれば、たとえば苺などの食品を入れた容器の開口部を包装材で覆うようにして容器に包装材を簡単に取り付けることができる包装体が得られる。
【図面の簡単な説明】
【図１】この発明にかかる包装体の一例を示す斜視図である。
【図２】図１に示す包装体の断面図である。
【図３】図１に示す包装体に用いられる包装材を示す斜視図である。
【図４】図３に示す包装材を製造する帯状のシートを示す図解図である。
【図５】図４に示すシートにおいて面部材に相当する部分を内側に折り返した状態を示す図解図である。
【図６】図５に示す状態からシートにおいて包装用シートに相当する部分の内面に接着剤層を形成した状態を示す図解図である。
【図７】図６に示す状態から接着剤層に剥離基材を仮着した状態を示す図解図である。
【図８】図７に示す状態からシートなどを熱溶断した状態を示す図解図である。
【図９】図８に示す状態から袋状部に通気孔を形成した状態を示す図解図である。
【図１０】図１に示す包装体において包装材の袋状部に容器の一端側部分を入れる状態を示す斜視図である。
【図１１】図１に示す包装体において包装材の袋状部に容器の一端側部分を入れた状態で剥離基材を剥離する状態を示す斜視図である。
【符号の説明】
１０  包装体
１２  容器
１４  収納部
１６  開口部
１８  包装材
２０  包装用シート
２２  袋状部
２４  面部材
２６  通気孔
２８  接着剤層
３０  剥離基材
【図１】
2005001721.tif 000003
【図２】
2005001721.tif 000004
【図３】
2005001721.tif 000005
【図４】
2005001721.tif 000006
【図５】
2005001721.tif 000007
【図６】
2005001721.tif 000008
【図７】
2005001721.tif 000009
【図８】
2005001721.tif 000010
【図９】
2005001721.tif 000011
【図１０】
2005001721.tif 000012
【図１１】
2005001721.tif 000013